【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、１以上のレンズ群を含む後群を有し、前記第１レンズ群、前記第２レンズ群及び前記第３レンズ群は、広角端に比べ望遠端において物体側に位置し、ズーミングに際して隣り合うレンズ群の間隔が変化するズームレンズにおいて、
前記第１レンズ群は正レンズと負レンズからなり、広角端から望遠端までのズーミングにおける前記第１レンズ群、前記第２レンズ群、前記第３レンズ群の移動量をそれぞれＭ１、Ｍ２、Ｍ３、広角端における全系の焦点距離をｆｗとするとき、
０．５＜Ｍ２／ｆｗ＜５．０
０．１＜Ｍ１／Ｍ３＜１．０ 
なる条件式を満足することを特徴とするズームレンズ。
【請求項２】
前記第１レンズ群を構成する負レンズの材料の屈折率およびアッベ数をそれぞれ、Ｎｄ１ｎ、νｄ１ｎとするとき、
１．８５＜Ｎｄ１ｎ＜２．５０
５．０＜νｄ１ｎ＜２１．０
なる条件式を満足することを特徴とする請求項１に記載のズームレンズ。
【請求項３】
前記第３レンズ群を構成する正レンズの材料の屈折率およびアッベ数をそれぞれＮｄ３ｐ、νｄ３ｐとするとき、
１．５０＜Ｎｄ３ｐ＜２．５０
４０．０＜νｄ３ｐ＜７２．０
なる条件式を満足することを特徴とする請求項１または２に記載のズームレンズ。
【請求項４】
前記第１レンズ群を構成する負レンズと正レンズの材料のアッベ数を各々νｄ１ｎ、νｄ１ｐとするとき、
１５．０＜νｄ１ｐ−νｄ１ｎ＜４０．０
なる条件式を満足することを特徴とする請求項１乃至３のいずれか１項に記載のズームレンズ。
【請求項５】
前記後群の中で最も像側に配置されたレンズ群はフォーカシングに際して移動するフォーカスレンズ群であり、広角端と望遠端における前記フォーカスレンズ群の横倍率をそれぞれβｆｗ、βｆｔとするとき、
０．７＜βｆｔ／βｆｗ＜１．３
なる条件式を満足することを特徴とする請求項１乃至４のいずれか１項に記載のズームレンズ。
【請求項６】
前記第３レンズ群の広角端と望遠端における横倍率をそれぞれβ３ｗ、β３ｔとするとき、
２．０＜β３ｔ／β３ｗ＜１０．０
なる条件式を満足することを特徴とする請求項１乃至５のいずれか１項に記載のズームレンズ。
【請求項７】
前記第３レンズ群は１枚の負レンズを有し、
前記第３レンズ群を構成する正レンズの中で、光軸方向の厚さが最も大きい正レンズの厚さをＤ３ｐ、前記第３レンズ群を構成する負レンズの光軸方向の厚さをＤ３ｎとするとき、
２．０＜Ｄ３ｐ／Ｄ３ｎ＜８．０
なる条件式を満足することを特徴とする請求項１乃至６のいずれか１項に記載のズームレンズ。
【請求項８】
前記第１レンズ群を構成する正レンズの焦点距離をｆ１ｐ、前記第１レンズ群の焦点距離をｆ１とするとき、
０．２＜ｆ１ｐ／ｆ１＜１．０
なる条件式を満足することを特徴とする請求項１乃至７のいずれか１項に記載のズームレンズ。
【請求項９】
前記第２レンズ群は、物体側より像側へ順に、負レンズ、負レンズ、正レンズよりなることを特徴とする請求項１乃至８のいずれか１項に記載のズームレンズ。
【請求項１０】
前記第３レンズ群は、物体側より像側へ順に、正レンズ、負レンズよりなることを特徴とする請求項１乃至９のいずれか１項に記載のズームレンズ。
【請求項１１】
前記後群は正の屈折力の第４レンズ群からなり、前記第４レンズ群はズーミングに際して移動することを特徴とする請求項１乃至１０のいずれか１項のズームレンズ。
【請求項１２】
前記後群は、物体側から像側へ順に、負の屈折力の第４レンズ群、正の屈折力の第５レンズ群からなり、前記第４レンズ群と前記第５レンズ群はズーミングに際して移動することを特徴とする請求項１乃至１０のいずれか１項のズームレンズ。
【請求項１３】
固体撮像素子に像を形成することを特徴とする請求項１乃至１２のいずれか１項に記載のズームレンズ。
【請求項１４】
請求項１乃至１３のいずれか１項に記載のズームレンズと、該ズームレンズによって形成される像を受光する固体撮像素子とを有することを特徴とする撮像装置。
【手続補正２】
【補正対象書類名】明細書
【補正対象項目名】００１１
【補正方法】変更
【補正の内容】
【００１１】
本発明のズームレンズは、物体側より像側へ順に、正の屈折力の第１レンズ群、負の屈折力の第２レンズ群、正の屈折力の第３レンズ群、１以上のレンズ群を含む後群を有し、前記第１レンズ群、前記第２レンズ群及び前記第３レンズ群は、広角端に比べ望遠端において物体側に位置し、ズーミングに際して隣り合うレンズ群の間隔が変化するズームレンズにおいて、
前記第１レンズ群は正レンズと負レンズからなり、広角端から望遠端までのズーミングにおける前記第１レンズ群、前記第２レンズ群、前記第３レンズ群の移動量をそれぞれＭ１、Ｍ２、Ｍ３、広角端における全系の焦点距離をｆｗとするとき、
０．５＜Ｍ２／ｆｗ＜５．０
０．１＜Ｍ１／Ｍ３＜１．０ 
なる条件式を満足することを特徴としている。
【手続補正３】
【補正対象書類名】明細書
【補正対象項目名】００１４
【補正方法】変更
【補正の内容】
【００１４】
本発明のズームレンズは、物体側より像側へ順に、正の屈折力の第１レンズ群、負の屈折力の第２レンズ群、正の屈折力の第３レンズ群、１以上のレンズ群を含む後群を有している。第１レンズ群、第２レンズ群、第３レンズ群は広角端に比べ、望遠端において物体側に位置し、ズーミングに際して隣り合うレンズ群の間隔が変化する。
【手続補正４】
【補正対象書類名】明細書
【補正対象項目名】００２３
【補正方法】変更
【補正の内容】
【００２３】
収差図のうち球面収差において、実線と２点鎖線は各々ｄ線及びｇ線、非点収差図においてΔＭ（点線），ΔＳ（実線）はメリディオナル像面，サジタル像面である。倍率色収差はｇ線によって表している。ωは半画角（撮影画角の半分の値）（度）、ＦｎｏはＦナンバーである。尚、以下の各実施例において広角端と望遠端は変倍用レンズ群が機構上光軸上を移動可能な範囲の両端に位置したときのズーム位置をいう。
【手続補正５】
【補正対象書類名】明細書
【補正対象項目名】００４１
【補正方法】変更
【補正の内容】
【００４１】
本発明において、更に好ましくは次の諸条件のうち１以上を満足するのが良い。第１レンズ群Ｌ１を構成する負レンズの材料の屈折率およびアッベ数をそれぞれ、Ｎｄ１ｎ、νｄ１ｎとする。第３レンズ群Ｌ３を構成するレンズのうちの少なくとも１つの正レンズの材料の屈折率およびアッベ数をそれぞれＮｄ３ｐ、νｄ３ｐとする。第１レンズ群Ｌ１を構成する正レンズの材料のアッベ数をνｄ１ｐとする。ズームレンズの後群ＬＲの中で最も像側に配置されたレンズ群はフォーカシングに際して移動するフォーカスレンズ群であり、広角端と望遠端におけるフォーカスレンズ群の横倍率をそれぞれβｆｗ、βｆｔとする。
【手続補正６】
【補正対象書類名】明細書
【補正対象項目名】００４２
【補正方法】変更
【補正の内容】
【００４２】
第３レンズ群Ｌ３の広角端と望遠端における横倍率をそれぞれβ３ｗ、β３ｔとする。第３レンズ群Ｌ３は負レンズを有する。第３レンズ群Ｌ３を構成する正レンズの中で光軸方向の厚さが最も大きい正レンズの厚さをＤ３ｐ、第３レンズ群Ｌ３を構成する負レンズの厚さをＤ３ｎとする。第１レンズ群Ｌ１を構成する正レンズの焦点距離をｆ１ｐ、第１レンズ群Ｌ１の焦点距離をｆ１とする。このとき、以下の条件式のうち１以上を満足するのが良い。
【手続補正７】
【補正対象書類名】明細書
【補正対象項目名】００７７
【補正方法】変更
【補正の内容】
【００７７】
実施例１乃至４、６におけるｄ１０、実施例５におけるｄ８の値が負になっているのは物体側から像側へ絞りＳＰ（ＳＰａ）、第３レンズ群Ｌ３の物体側のレンズＧ３１と数えたためである。実施例６において第１６面（ｒ１６）は設計上用いたダミー面であり、レンズを構成するものではない。
【手続補正８】
【補正対象書類名】明細書
【補正対象項目名】００７８
【補正方法】変更
【補正の内容】
【００７８】
各実施例において、画角は半画角（度）の値を示している。バックフォーカス（ＢＦ）はレンズ最終面から近軸像面までの距離を空気換算長により表したものである。レンズ全長は最も物体側の面から最終レンズ面までの距離にバックフォーカスを加えたものである。また、各数値実施例における上述した条件式との対応を表１に示す。
【手続補正９】
【補正対象書類名】明細書
【補正対象項目名】００８２
【補正方法】変更
【補正の内容】
【００８２】
［数値実施例４］
単位 mm
面データ
面番号       r        d      nd         νd
1         17.026    0.60   1.95906    17.5           
2         12.614    3.60   1.83481    42.7           
3         70.767  (可変)                             
4         56.641    0.50   1.85135    40.1           
5*         4.804    3.10                             
6        -17.563    0.40   1.88300    40.8           
7         28.246    0.10                             
8         12.527    1.35   1.95906    17.5           
9        171.495  (可変)                             
10(絞り)    ∞      -0.40                             
11*         5.473    1.75   1.67790    54.9           
12*       -20.905    0.10                             
13(絞り)    ∞       0.00                             
14          4.154    0.70   1.48749    70.2           
15          7.047    0.40   1.84666    23.9           
16          3.166 1.00  
17          ∞     (可変)                  (フレアーカット絞り)
18          9.707    1.70   1.48749    70.2           
19        447.932  (可変)                             
20          ∞       1.00   1.51633    64.1           
21          ∞       1.0                             
像面        ∞   
非球面データ
第5面
K =-4.35183e-002  A 4=-4.40142e-005  A 6= 5.03252e-006  A 8=-3.49994e-007  
第11面
K = 9.09382e-002  A 4=-9.92836e-004  A 6=-1.65820e-005  A 8=-4.67887e-006  
第12面
K = 3.86664e+001  A 4= 5.00792e-004  
各種データ
ズーム比      9.55 
焦点距離       4.43    16.24    42.28     6.90    26.24    32.35    14.11
Fナンバー      2.87     4.27     7.46     3.34     5.32     6.16     4.09
画角          36.98    12.98     5.24    28.32     8.40     6.83    15.12
像高           3.33     3.74     3.88     3.72     3.88     3.88     3.81
レンズ全長    37.19    41.57    55.25    36.35    47.53    50.63    40.24
BF             3.77     7.12     3.99     4.76     6.07     4.89     6.95
d 3            0.30     7.24    10.13     1.99     9.39     9.79     6.39
d 9           13.48     3.44     0.80     8.69     1.96     1.50     4.05
d17            4.74     8.86    25.44     6.01    15.21    19.55     7.95
d19            2.11     5.46     2.33     3.10     4.41     3.23     5.29
ズームレンズ群データ
群  始面    焦点距離  
1    1      27.67  
2    4      -5.75  
3   10       9.11  
4   18      20.33  
5   20       ∞